(57)【要約】【課題】現在視聴中の放送番組の視聴を阻害することなく、視聴が中断された放送番組の映像のうちユーザが望む放送番組の映像のみを、サーバ装置の負荷を軽減しながら視聴させること。【解決手段】放送局１０１から配信される放送番組を受信する放送受信部２０２と、放送番組の映像を再生する映像再生部２０３と、通信回線を介してサーバ１０３との間で通信を行うデータ通信部２０７と、を備え、放送番組の映像の再生が中断されるとＴＳ／ＣＨ情報をサーバ１０３に送信し、ＴＳ／ＣＨ情報に基づいて生成されるＴＳリストをサーバ１０３から受信し、当該ＴＳリストから再生を希望する放送番組の選択をユーザから受け付けると当該放送番組の再生をサーバ１０３に要求し、当該再生要求に応じてサーバ１０３から送信される放送番組の映像を映像再生部２０３で再生する。【選択図】図２
2007267325.tif 000002
【特許請求の範囲】
【請求項１】
放送局から配信される放送番組の映像を蓄積するサーバ装置に通信回線を介して接続される移動体端末装置であって、前記放送局から配信される放送番組を受信する放送受信手段と、前記放送番組の映像を再生する映像再生手段と、前記通信回線を介して前記サーバ装置との間で通信を行う通信手段と、を具備し、
前記放送番組の映像の再生が中断されると中断時刻情報及び番組特定情報を前記サーバ装置に送信し、前記中断時刻情報及び番組特定情報に基づいて生成される再生中断番組リストを受信し、当該再生中断番組リストから再生を希望する前記放送番組の選択を受け付けると当該放送番組の再生を前記サーバ装置に要求し、当該再生要求に応じて前記サーバ装置から送信される前記放送番組の映像を前記映像再生手段で再生することを特徴とする移動体端末装置。
【請求項２】
前記放送番組の再生の中断指示を受け付ける指示入力手段を更に具備し、前記指示入力手段を介して前記放送番組の再生の中断指示を受け付けると、前記中断時刻情報及び番組特定情報を前記サーバ装置に送信することを特徴とする請求項１記載の移動体端末装置。
【請求項３】
放送局からの放送電波の状態を検出する電波状態検出手段を更に具備し、前記電波状態検出手段による放送電波の状態の検出結果に応じて前記中断時刻情報及び番組特定情報を前記サーバ装置に送信することを特徴とする請求項１又は請求項２記載の移動体端末装置。
【請求項４】
端末本体の開閉状態を検出する開閉状態検出手段を更に具備し、前記開閉状態検出手段による開閉状態の検出結果に応じて前記中断時刻情報及び番組特定情報を前記サーバ装置に送信することを特徴とする請求項１から請求項３のいずれかに記載の移動体端末装置。
【請求項５】
前記中断時刻情報は、前記放送番組の再生の中断を開始する中断開始時刻情報と、前記放送番組の再生の中断を終了する中断終了時刻情報とから構成されることを特徴とする請求項１から請求項４のいずれかに記載の移動体端末装置。
【請求項６】
前記中断開始時刻情報から前記中断終了時刻情報までの経過時間を監視する経過時間監視手段を更に具備し、前記経過時間監視手段は、前記経過時間が一定時間を超過すると、前記中断終了時刻情報を自動的に指定することを特徴とする請求項５記載の移動体端末装置。
【請求項７】
放送局から配信される放送番組の映像を再生する移動体端末装置と通信回線を介して接続されるサーバ装置であって、前記放送局から配信される放送番組を受信する放送受信手段と、前記放送番組の映像を蓄積する映像蓄積手段と、前記通信回線を介して前記移動体端末装置との間で通信を行う通信手段と、前記移動体端末で前記放送番組の映像の再生が中断された場合に送信される中断時刻情報及び番組特定情報を記憶する記憶手段と、前記中断時刻情報及び番組特定情報に基づいて再生中断番組リストを生成するリスト生成手段と、前記再生中断番組リストから選択された前記放送番組の映像を前記映像蓄積手段から取得する映像取得手段と、を具備し、
前記移動体端末装置からの要求に応じて前記再生中断番組リストを生成して送信し、当該再生中断番組リストから再生を希望する前記放送番組の選択を受け付けると当該放送番組の映像を前記映像蓄積手段から取得して前記移動体端末装置に送信することを特徴とするサーバ装置。
【請求項８】
前記中断時刻情報は、前記放送番組の再生の中断を開始する中断開始時刻情報と、前記放送番組の再生の中断を終了する中断終了時刻情報とから構成され、前記映像取得手段は、前記映像蓄積手段に蓄積された前記放送番組の映像のうち、前記中断開始時刻情報及び中断終了時刻情報で特定される前記放送番組の映像を取得することを特徴とする請求項７記載のサーバ装置。
【請求項９】
放送局から配信される放送番組を受信すると共に当該放送番組の映像を再生する移動体端末装置と、前記移動体端末装置と通信回線を介して接続され、前記放送局から配信される放送番組を受信すると共に当該放送番組の映像を蓄積するサーバ装置と、を備える放送再生システムであって、前記移動体端末装置で前記放送番組の映像の再生が中断されると中断時刻情報及び番組特定情報を前記サーバ装置に送信し、前記サーバ装置で前記中断時刻情報及び番組特定情報に基づいて生成される再生中断番組リストを前記移動体端末装置に送信し、前記移動体端末装置で前記再生中断番組リストから再生を希望する前記放送番組の選択を受け付けると当該放送番組の再生を前記サーバ装置に要求し、前記サーバ装置で再生を要求された前記放送番組の映像を、蓄積された前記放送番組の映像から取得して前記移動体端末に送信し、前記移動体端末で前記放送番組の映像を再生することを特徴とする放送再生システム。
【発明の詳細な説明】
【技術分野】
【０００１】
本発明は、移動体端末装置、サーバ装置及び放送再生システムに関し、特に、放送局から配信される放送番組の再生に好適な移動体端末装置、サーバ装置及び放送再生システムに関する。
【背景技術】
【０００２】
近年、放送局から配信される放送番組を視聴可能な携帯電話などの移動体端末装置（以下、「移動体端末」という）が市場に流通している。かかる移動体端末においては、放送電波の圏内では番組視聴が確保されるものの、番組視聴中に放送電波の圏外に移行すると番組視聴は中断されてしまう。このような番組視聴の中断に対応すべく、放送電波が受信できないことによる番組視聴の中断が発生しても、外出先にて中断した箇所から視聴を可能とした移動体端末（デジタル放送受信携帯端末装置）及びサーバ装置（番組配信局）が提案されている（例えば、特許文献１参照）。この移動体端末においては、放送電波の受信途切れを検出した場合に放送受信中断時刻及び視聴中番組情報をサーバ装置へ送信し、サーバ装置から放送番組の中断個所からの動画データを配信してもらうことで放送番組の中断個所からの視聴を可能としている。
【特許文献１】特願２００４−２７４５６２号公報
【発明の開示】
【発明が解決しようとする課題】
【０００３】
しかしながら、上述したような従来の移動体端末等においては、放送電波の圏外から圏内に復帰すると、復帰時にサーバ装置から自動的に放送番組の中断個所からの動画データが配信されることとなるため、現在放送中の放送番組の視聴が逆に妨げられるという問題がある。
【０００４】
特に、圏内へ復帰したタイミングで、番組視聴が中断された全ての動画データの配信を行う場合、実際には不要な番組の配信も通信経由で配信することとなるため、サーバ装置の負荷が大きくなるという問題がある。
【０００５】
また、従来の移動体端末等においては、放送電波の圏外に移行した場合に視聴が中断された放送番組の動画データのみを配信の対象としている。しかし、移動体端末のユーザにおいては、これに限らず、圏内においても、一時的に放送番組の視聴を中断して後から視聴したいというニーズが存在している。
【０００６】
本発明はかかる実情に鑑みて為されたものであり、現在視聴中の放送番組の視聴を阻害することなく、視聴が中断された放送番組の映像のうちユーザが望む放送番組の映像のみを、サーバ装置の負荷を軽減しながら視聴させることができる移動体端末装置、サーバ装置及び放送再生システムを提供することを目的とする。
【課題を解決するための手段】
【０００７】
本発明の移動体端末装置は、放送局から配信される放送番組の映像を蓄積するサーバ装置に通信回線を介して接続される移動体端末装置であって、放送局から配信される放送番組を受信する放送受信手段と、放送番組の映像を再生する映像再生手段と、通信回線を介して前記サーバ装置との間で通信を行う通信手段と、を具備し、放送番組の映像の再生が中断されると中断時刻情報及び番組特定情報をサーバ装置に送信し、中断時刻情報及び番組特定情報に基づいて生成される再生中断番組リストを受信し、当該再生中断番組リストから再生を希望する放送番組の選択を受け付けると当該放送番組の再生をサーバ装置に要求し、当該再生要求に応じてサーバ装置から送信される放送番組の映像を映像再生手段で再生することを特徴とする。
【０００８】
この構成によれば、放送番組の映像の再生が中断されると中断時刻情報及び番組特定情報がサーバ装置に送信され、サーバ装置において中断時刻情報及び番組特定情報に基づいて再生中断番組リストが生成され、移動体端末装置に送信される。この再生中断番組リストからユーザが再生を希望する放送番組の選択を受け付けると、当該放送番組の再生がサーバ装置に要求され、当該再生要求に応じてサーバ装置から送信される放送番組の映像が移動体端末装置で再生される。このため、再生中断番組リストからユーザにより放送番組が選択されたタイミングに応じて当該放送番組の映像が送信されるので、現在視聴中の放送番組の視聴を阻害する事態を防止することなく、ユーザの所望の放送番組の映像を送信することができる。また、再生中断番組リストから選択された放送番組の映像のみがサーバ装置から送信されるので、サーバ装置の負荷を軽減しつつ、ユーザの所望の放送番組の映像を送信することができる。さらに、番組視聴の中断事由は、放送電波の状態に起因する事由に限定されないので、任意の中断事由に応じて視聴が中断された放送番組の映像のうちユーザが望む放送番組の映像を視聴させることができる。
【０００９】
本発明の移動体端末装置においては、放送番組の再生の中断指示を受け付ける指示入力手段を更に具備し、当該指示入力手段を介して放送番組の再生の中断指示を受け付けると、中断時刻情報及び番組特定情報をサーバ装置に送信するようにしても良い。この場合には、放送番組の再生の中断指示に応じて中断時刻情報及び番組特定情報がサーバ装置に送信され、当該中断時刻情報等に基づいて再生中断番組リストが生成されるので、移動体端末装置のユーザの所望のタイミングで番組視聴を中断すると共に、当該中断した放送番組の映像を後から視聴することが可能となる。
【００１０】
また、本発明の移動体端末装置において、放送局からの放送電波の状態を検出する電波状態検出手段を更に具備し、当該電波状態検出手段による放送電波の状態の検出結果に応じて中断時刻情報及び番組特定情報をサーバ装置に送信するようにしても良い。この場合には、放送電波の状態（例えば、圏外又は圏内）の検出結果に応じて中断時刻情報及び番組特定情報がサーバ装置に送信され、当該中断時刻情報等に基づいて再生中断番組リストが生成されるので、放送電波の状態に応じて番組視聴が中断された場合であっても、当該中断した放送番組の映像を後から視聴することが可能となる。
【００１１】
また、本発明の移動体端末装置において、端末本体の開閉状態を検出する開閉状態検出手段を更に具備し、当該開閉状態検出手段による開閉状態の検出結果に応じて中断時刻情報及び番組特定情報をサーバ装置に送信するようにしても良い。この場合には、移動体端末装置の開閉状態の検出結果に応じて中断時刻情報及び番組特定情報がサーバ装置に送信されるので、移動体端末装置の開閉状態に応じて番組視聴の中断を判断し、これに応じた再生中断番組リストを生成することが可能となる。
【００１２】
なお、本発明の移動体端末装置において、中断時刻情報は、放送番組の再生の中断を開始する中断開始時刻情報と、放送番組の再生の中断を終了する中断終了時刻情報とから構成することが好ましい。この場合には、中断開始時刻情報と中断終了時刻情報とで番組視聴が中断した放送番組が特定されるため、当該放送番組を容易に特定することが可能となる。
【００１３】
さらに、本発明の移動体端末装置において、中断開始時刻情報から中断終了時刻情報までの経過時間を監視する経過時間監視手段を更に具備し、当該経過時間監視手段は、上記経過時間が一定時間を超過すると、中断終了時刻情報を自動的に指定するようにしても良い。この場合には、中断開始時刻情報からの経過時間が一定時間を超過すると自動的に中断終了時刻情報が指定されるので、例えば、ユーザにより番組視聴の中断が指示された後、その中断を解除し忘れた場合においても、番組視聴の中断が継続する事態を防止することが可能となる。
【００１４】
本発明のサーバ装置は、放送局から配信される放送番組の映像を再生する移動体端末装置と通信回線を介して接続されるサーバ装置であって、放送局から配信される放送番組を受信する放送受信手段と、放送番組の映像を蓄積する映像蓄積手段と、通信回線を介して移動体端末装置との間で通信を行う通信手段と、移動体端末で放送番組の映像の再生が中断された場合に送信される中断時刻情報及び番組特定情報を記憶する記憶手段と、中断時刻情報及び番組特定情報に基づいて再生中断番組リストを生成するリスト生成手段と、再生中断番組リストから選択された放送番組の映像を映像蓄積手段から取得する映像取得手段と、を具備し、移動体端末装置からの要求に応じて再生中断番組リストを生成して送信し、当該再生中断番組リストから再生を希望する放送番組の選択を受け付けると当該放送番組の映像を映像蓄積手段から取得して移動体端末装置に送信することを特徴とする。
【００１５】
この構成によれば、移動体端末装置からの要求に応じて再生中断番組リストが生成された後に送信され、当該再生中断番組リストから再生を希望する放送番組の選択を受け付けると当該放送番組の映像を映像蓄積手段から取得して移動体端末装置に送信される。このため、再生中断番組リストからユーザにより放送番組が選択されたタイミングに応じて当該放送番組の映像が送信されるので、現在視聴中の放送番組の視聴を阻害する事態を防止することなく、ユーザの所望の放送番組の映像を送信することができる。また、再生中断番組リストから選択された放送番組の映像のみがサーバ装置から送信されるので、サーバ装置の負荷を軽減しつつ、ユーザの所望の放送番組の映像を送信することができる。さらに、番組視聴の中断事由は、放送電波の状態に起因する事由に限定されないので、任意の中断事由に応じて視聴が中断された放送番組の映像のうちユーザが望む放送番組の映像を視聴させることができる。
【００１６】
本発明のサーバ装置において、中断時刻情報は、放送番組の再生の中断を開始する中断開始時刻情報と、放送番組の再生の中断を終了する中断終了時刻情報とで構成し、映像取得手段は、映像蓄積手段に蓄積された放送番組の映像のうち、中断開始時刻情報及び中断終了時刻情報で特定される放送番組の映像を取得するようにしても良い。この場合には、中断開始時刻情報と中断終了時刻情報とで番組視聴が中断した放送番組が特定されるため、当該放送番組の映像を容易に特定することが可能となる。
【００１７】
本発明の放送再生システムは、放送局から配信される放送番組を受信すると共に当該放送番組の映像を再生する移動体端末装置と、当該移動体端末装置と通信回線を介して接続され、放送局から配信される放送番組を受信すると共に当該放送番組の映像を蓄積するサーバ装置と、を備える放送再生システムであって、移動体端末装置で放送番組の映像の再生が中断されると中断時刻情報及び番組特定情報をサーバ装置に送信し、サーバ装置で中断時刻情報及び番組特定情報に基づいて生成される再生中断番組リストを移動体端末装置に送信し、移動体端末装置で再生中断番組リストから再生を希望する放送番組の選択を受け付けると当該放送番組の再生をサーバ装置に要求し、サーバ装置で再生を要求された放送番組の映像を、蓄積された放送番組の映像から取得して移動体端末に送信し、移動体端末で当該放送番組の映像を再生することを特徴とする。
【００１８】
この構成によれば、放送番組の映像の再生が中断されると中断時刻情報及び番組特定情報がサーバ装置に送信され、サーバ装置において中断時刻情報及び番組特定情報に基づいて再生中断番組リストが生成され、移動体端末装置に送信される。この再生中断番組リストからユーザが再生を希望する放送番組の選択を受け付けると、当該放送番組の再生がサーバ装置に要求され、当該再生要求に応じてサーバ装置から送信される放送番組の映像が移動体端末装置で再生される。このため、再生中断番組リストからユーザにより放送番組が選択されたタイミングに応じて当該放送番組の映像が送信されるので、現在視聴中の放送番組の視聴を阻害する事態を防止することなく、ユーザの所望の放送番組の映像を送信することができる。また、再生中断番組リストから選択された放送番組の映像のみがサーバ装置から送信されるので、サーバ装置の負荷を軽減しつつ、ユーザの所望の放送番組の映像を送信することができる。さらに、番組視聴の中断事由は、放送電波の状態に起因する事由に限定されないので、任意の中断事由に応じて視聴が中断された放送番組の映像のうちユーザが望む放送番組の映像を視聴させることができる。
【発明の効果】
【００１９】
本発明に係る移動体端末装置、サーバ装置及び放送再生システムによれば、現在視聴中の放送番組の視聴を阻害することなく、視聴が中断された放送番組の映像のうちユーザが望む放送番組の映像のみを、サーバ装置の負荷を軽減しながら視聴させることが可能となる。
【発明を実施するための最良の形態】
【００２０】
以下、本発明の実施の形態について、添付図面を参照して詳細に説明する。
【００２１】
（実施の形態１）
図１は、本発明の実施の形態１に係る放送再生システムが適用されるネットワークの構成を説明するための図である。図１に示すように、本実施の形態に係る放送再生システムは、放送番組を配信する放送局１０１と、配信される放送番組の受信及び再生を主に行う移動体端末１０２と、配信される放送番組の受信及び蓄積（録画）を主に行うコンテンツサーバ装置（以下、「サーバ」という）１０３と、を備えている。
【００２２】
移動体端末１０２は、例えば、ＰＤＣ−Ｐ（Personal Digital Cellular-Packet）網等の通信ネットワークで構成される移動通信網１０４、並びに、インターネット１０５のような通信ネットワークを介してサーバ１０３にアクセス可能に構成されている。そして、移動体端末１０２は、このような通信ネットワークを介して、後述するように、サーバ１０３に登録された放送番組の映像の一部（又は全部）を受信できるようになっている。この際、移動体端末１０２は、移動通信網１０４上に設置された、最寄りの基地局１０６と通信を行い、移動通信網１０４及びインターネット１０５を介してサーバ１０３と通信を行う。
【００２３】
移動通信網１０４には、移動通信センター１０７が接続されている。移動通信センター１０７は、インターネット１０５を介して他の端末装置、例えば、パーソナルコンピュータ（ＰＣ）などと接続されており、移動通信網１０４とインターネット１０５とを結ぶゲートウェイ機能を担っている。具体的には、情報配信機能、メール送受信機能、メール蓄積機能、契約顧客管理機能、情報提供者（Information Provider）管理機能、並びに、情報料課金機能を有する。
【００２４】
放送局１０１は、例えば、地上波デジタル放送を用いて提供される放送番組を配信する。放送局１０１から配信される放送番組は、家庭内に設置される固定テレビだけでなく、地上波デジタル放送受信機能を搭載する移動体端末１０２やサーバ１０３においても受信される。
【００２５】
移動体端末１０２は、地上波デジタル放送受信機能を搭載し、放送局１０１から配信される放送番組を受信し、再生（視聴）することが可能である。また、再生中の放送番組の視聴を一時的に中断し、その中断個所の映像を後から視聴可能にすべく、中断時刻情報に相当するタイムスタンプ情報（以下、「ＴＳ情報」という）及び番組特定情報に相当するチャンネル情報（以下、「ＣＨ情報」という）をサーバ１０３に送出する。さらに、サーバ１０３から送出される、再生中断番組リストに相当するタイムスタンプリスト（以下、適宜「ＴＳリスト」という）に基づいて視聴を中断した放送番組の映像を選択し、これに応じてサーバ１０３から送出される放送番組の映像を再生することが可能である。
【００２６】
サーバ１０３は、地上波デジタル放送受信機能を搭載し、放送局１０１から配信される全ての放送番組を受信し、番組データベース（以下、「番組ＤＢ」という）１０９に登録することが可能である。すなわち、番組ＤＢ１０９には、サーバ１０３で受信した全てのチャンネル及び全ての時間帯の放送番組が登録されることとなる。また、サーバ１０３は、受信した放送番組をモニタ装置１０８にて視聴することも可能である。なお、サーバ１０３は、例えば、移動体端末１０２のユーザが家庭内で管理しても良く、当該放送再生システムを提供する事業者が事業所内で管理するようにしても良い。
【００２７】
図２は、本発明の実施の形態１に係る移動体端末１０２の概略構成を示す図である。なお、図２に示す構成は、本発明を説明するために簡略化したものであり、通常の移動体端末に搭載される構成要素は備えているものとする。
【００２８】
移動体端末１０２は、端末全体の制御を行う制御部２０１を備え、当該制御部２０１に放送受信部２０２、映像再生部２０３及び表示部２０４が接続されている。放送受信部２０２は、放送局１０１から配信される放送番組を受信する。映像再生部２０３は、放送受信部２０２及び後述するデータ通信部２０７から受け取った映像を再生する。表示部２０４は、例えば、液晶ディスプレイで構成され、映像再生部２０３により再生指示される映像を表示し、また、指示入力画面などの操作画面を表示する。
【００２９】
また、制御部２０１にタイムスタンプ／チャンネル情報登録部（以下、「ＴＳ／ＣＨ情報登録部」という）２０５及び記憶部２０６が接続されている。ＴＳ／ＣＨ情報登録部２０５は、後述する電波状態検出部２０８による電波状態の検出結果又は指示入力部２０９で受け付けた指示入力の内容に応じてＴＳ情報及びＣＨ情報を指定し、記憶部２０６に登録する。記憶部２０６は、例えば、ＴＳ／ＣＨ情報登録部２０５により指定されたＴＳ情報及びＣＨ情報（以下、適宜「ＴＳ／ＣＨ情報」という）を記憶する。なお、記憶部２０６に記憶されるＴＳ情報は、開始時刻情報（開始タイムスタンプ情報：開始ＴＳ情報）及び終了時刻情報（終了タイムスタンプ情報：終了ＴＳ情報）で構成される。
【００３０】
さらに、制御部２０１にデータ通信部２０７、電波状態検出部２０８及び指示入力部２０９が接続されている。データ通信部２０７は、サーバ１０３との間の通信処理を行う。例えば、記憶部２０６に記憶したＴＳ／ＣＨ情報をサーバ１０３に送信する際、ＴＳリストをサーバ１０３に要求する際、或いは、視聴が中断された放送番組の映像をサーバ１０３から受信する際等に必要となる通信処理を行う。電波状態検出部２０８は、放送局１０１から送出される放送電波の状態を検出する。具体的には、放送電波の状態が圏外であるか、圏内であるかを検出する。指示入力部２０９は、当該移動体端末１０２のユーザからの指示入力を受け付ける。例えば、指示入力部２０９は、再生している放送番組の視聴の一時的な中断指示を受け付ける。なお、本実施形態では、指示入力部２０９に、放送番組の視聴の一時的な中断指示を行うためのボタン（以下、「記録ボタン」という）を備えているものとする。
【００３１】
図３は、本発明の実施の形態１に係るサーバ１０３の概略構成を示す図である。
【００３２】
サーバ１０３は、装置全体の制御を行う制御部３０１を備え、当該制御部２０１に放送受信部３０２、データ通信部３０３及び記憶部３０４が接続されている。放送受信部３０２は、放送局１０１から配信される放送番組を受信する。データ通信部３０３は、移動体端末１０２との間の通信処理を行う。例えば、移動体端末１０２からＴＳ／ＣＨ情報を受信する際、移動体端末１０２からのＴＳリストの要求に応じてＴＳリストを移動体端末１０２に送信する際、或いは、視聴が中断された放送番組の映像を移動体端末１０２に送信する際等に必要となる通信処理を行う。記憶部３０４は、例えば、データ通信部３０３で移動体端末１０２から受信したＴＳ／ＣＨ情報を記憶する。記憶部３０４においては、ＴＳ／ＣＨ情報が移動体端末１０２の識別情報に応じて登録されている。本実施形態においては、移動体端末１０２を識別情報として電話番号を利用する例について示すが、識別情報の種別については適宜変更が可能であり、例えば、移動体端末１０２の製造番号を利用しても良い。
【００３３】
また、制御部３０２にタイムスタンプリスト生成部（以下、「ＴＳリスト生成部」という）３０５が接続されている。ＴＳリスト生成部３０５は、記憶部３０４に記憶されたＴＳ／ＣＨ情報を用いてＴＳリストを生成する。ＴＳリスト生成部３０５は、例えば、データ通信部３０３でＴＳリスト要求を移動体端末１０２から受信した場合にＴＳリストの生成を行う。
【００３４】
さらに、制御部３０２に映像登録部３０６、映像再生部３０７及び映像取得部３０８が接続されている。映像登録部３０６は、放送受信部３０２で受信した放送番組の映像を番組ＤＢ１０９に登録する。映像再生部３０７は、放送受信部３０２で受信した放送番組の映像をモニタ１０８に再生する。映像取得部３０８は、番組ＤＢ１０９に登録された放送番組の映像を取得する。具体的には、データ通信部３０３を介して移動体端末１０２から指定された放送番組の映像を、番組ＤＢ１０９から取得する。
【００３５】
実施の形態１に係る放送再生システムにおいては、上記構成を有する移動体端末１０２及びサーバ１０３において、放送局１０１から受信した放送番組の再生（視聴）を一時的に中断し、当該中断個所を後から移動体端末１０２で再生可能とする。その際、移動体端末１０２は、番組視聴の中断時における開始ＴＳ情報、終了ＴＳ情報及びＣＨ情報を登録すると共にサーバ１０３に送信する。そして、サーバ１０３でこれらに基づいて生成されるＴＳリストを受信し、当該ＴＳリストの中から所望の放送番組に対応するＴＳ／ＣＨ情報を選択することで、サーバ１０３から当該放送番組の映像を受信し、これを再生する。
【００３６】
以下、実施の形態１に係る放送再生システムにおいて、放送局１０１から受信した放送番組の視聴を一時的に中断し、当該中断した個所を後から移動体端末１０２で再生する場合の動作について説明する。図４は、実施の形態１に係る放送再生システムにおいて、放送局１０１から受信した放送番組の視聴を一時的に中断し、当該中断した個所を後から移動体端末１０２で再生する場合の動作について説明するためのシーケンス図である。
【００３７】
図４に示すように、放送局１０１から放送番組が配信されると、移動体端末１０２においては、放送受信部２０２で当該放送番組を受信する（ステップ(以下、「ＳＴ」と略す)４０１）。そして、受信した放送番組の映像を映像再生部２０３で再生する（ＳＴ４０２）。これにより、ユーザは、移動体端末１０２で放送局１０１から配信される放送番組を視聴可能となる。
【００３８】
一方、放送局１０１から放送番組が配信されると、サーバ１０３においては、放送受信部３０２で当該放送番組を受信する（ＳＴ４０３）。そして、受信した放送番組の映像を映像登録部３０６で番組ＤＢ１０９に登録する。これにより、番組ＤＢ１０９には、放送局１０１から配信された全ての放送番組の映像が登録されていくこととなる。なお、サーバ１０３においては、放送受信部３０２で受信した放送番組を映像再生部３０７で再生可能であるが、ここではその内容について省略する。
【００３９】
移動体端末１０２で放送番組の映像を再生すると共に、サーバ１０３で放送番組の映像を登録していく中、移動体端末１０２において、ユーザによる記録ボタンの押下又は電波状態検出部２０８による電波状態の圏外状態の検出などのＴＳ／ＣＨ情報の登録事由が発生すると（ＳＴ４０５）、ＴＳ／ＣＨ情報登録部２０５でＴＳ／ＣＨ情報を記憶部２０６に登録する（ＳＴ４０６）。その後、記憶部２０６に登録されたＴＳ／ＣＨ情報が、データ通信部２０７によりサーバ１０３に対して送信される（ＳＴ４０７）。なお、移動体端末１０２におけるＴＳ／ＣＨ情報の登録事由の発生に伴うＴＳ／ＣＨ情報の登録、並びに、サーバ１０３への送信の詳細については、後述する。
【００４０】
なお、記憶部２０６に登録されたＴＳ／ＣＨ情報のサーバ１０３への送信タイミングについては適宜変更が可能である。例えば、移動体端末１０２又はサーバ１０３で管理されるタイマ値により送信するようにしても良く、移動体端末１０２のユーザによる操作に応じて送信するようにしても良い。
【００４１】
移動体端末１０２から到来するＴＳ／ＣＨ情報を受信すると、サーバ１０３において、当該ＴＳ／ＣＨ情報は記憶部３０４に登録される（ＳＴ４０８）。このように移動体端末１０２で発生したＴＳ／ＣＨ情報の登録事由が発生する毎に、ＴＳ／ＣＨ情報が移動体端末１０２からサーバ１０３に送信され、記憶部３０４に登録されていく。
【００４２】
例えば、サーバ１０３の記憶部２０６には、図５に示すように、ＴＳ／ＣＨ情報が登録される。図５は、サーバ１０６の記憶部３０４内に登録されたＴＳ／ＣＨ情報の一例について示す図である。なお、図５においては、移動体端末１０２の識別情報として、電話番号「０９０−ｘｘｘｘ−ｙｙｙｙ」が登録された場合について示している。
【００４３】
図５に示すように、サーバ１０３の記憶部３０４には、移動体端末１０２の識別情報（端末識別情報）に応じて、ＴＳ／ＣＨ情報の記録日、開始時刻情報（開始ＴＳ情報）、終了時刻情報（終了ＴＳ情報）及びチャンネル情報（ＣＨ情報）が登録されている。図５において、記録日「３／３１」には、４つのＴＳ／ＣＨ情報が登録されており、記録日「４／１」には、５つのＴＳ／ＣＨ情報が登録されている。例えば、３月３１日には、１０：００から１２分間、８チャンネルで放送された放送番組の視聴が中断されていることが分かる。
【００４４】
ＳＴ４０８において、ＴＳ／ＣＨ情報が記憶部３０４に登録されていく間、或いは、ＳＴ４０１〜ＳＴ４０７の処理を繰り返し行う間、移動体端末１０２において、指示入力部２０９を用いたＴＳリストを要求する旨の指示入力を受け付けると（ＳＴ４０９）、ＴＳリストを要求するコマンドが、データ通信部２０７によりサーバ１０３に対して送信される（ＳＴ４１０）。
【００４５】
移動体端末１０２から到来するＴＳリストの要求を受け付けると、サーバ１０３においては、ＴＳリスト生成部３０５で記憶部３０４内のＴＳ／ＣＨ情報に基づいてＴＳリストを生成する（ＳＴ４１１）。そして、生成されたＴＳリストは、データ通信部３０３により移動体端末１０２に対して送信される（ＳＴ４１２）。
【００４６】
サーバ１０３から到来するＴＳリストを受信すると、移動体端末１０２においては、表示部２０４で当該ＴＳリストを表示する（ＳＴ４１３）。表示部２０４には、例えば、図６に示すようなＴＳリストが表示される。図６は、移動体端末１０２の表示部２０４に表示されるＴＳリストの一例について示す図である。なお、図６においては、図５に示すＴＳ／ＣＨ情報に基づいてＴＳリストが生成された場合について示している。
【００４７】
図６に示すように、ＴＳリストには、ＴＳ／ＣＨ情報の記録日、開始時刻情報（開始ＴＳ情報）、終了時刻情報（終了ＴＳ情報）、チャンネル情報（ＣＨ情報）及びユーザから受け付ける指示内容が登録されている。図６においては、図５と同様に、記録日「３／３１」に４つのＴＳ／ＣＨ情報が登録されており、記録日「４／１」に５つのＴＳ／ＣＨ情報が登録されている。なお、ここでは、指示内容として、「再生」が指定される場合のみについて示しているが、指示内容としては、これに限定されず、その他の指示内容、例えば「削除」などを指定するようにしても良い。
【００４８】
ＳＴ４１３において、表示部２０４でＴＳリストを表示した後、ＴＳリスト内のＴＳ／ＣＨ情報に基づいて再生指示をユーザから受け付けると（ＳＴ４１４）、当該ＴＳ／ＣＨ情報に対応する放送番組の映像の再生を指示するコマンドが、データ通信部２０７によりサーバ１０３に対して送信される（ＳＴ４１５）。
【００４９】
移動体端末１０２から、ＴＳ／ＣＨ情報に対応する放送番組の映像の再生指示を受け付けると、サーバ１０３においては、映像取得部３０８で当該ＴＳ／ＣＨ情報に対応する放送番組の映像を番組ＤＢ１０９から取得する（ＳＴ４１６）。例えば、図６に示す最上段のＴＳ／ＣＨ情報に対応する放送番組の映像の再生指示を受け付けた場合には、映像取得部３０８は、記録日である「３／３１」における「８ＣＨ」の放送番組のうち、開始時刻である「１０：００」から終了時刻である「１０：１２」までの映像を切り出すことで、当該ＴＳ／ＣＨ情報に対応する放送番組の映像を取得する。そして、このように取得した放送番組の映像をデータ通信部３０３により移動体端末１０２に対して送信する（ＳＴ４１７）。
【００５０】
サーバ１０３から放送番組の映像を受信すると、移動体端末１０２においては、映像再生部２０３で当該放送番組の映像を再生する（ＳＴ４１８）。このようにして、放送局１０１から受信した放送番組の視聴を一時的に中断し、当該中断した個所を後から移動体端末１０２で再生する際の一連の動作が終了することとなる。
【００５１】
ここで、上記のような動作を行う移動体端末１０２において、放送番組の視聴を一時的に中断する場合における各構成要素の動作タイミングについて説明する。図７及び図８は、移動体端末１０２において、放送番組の視聴を一時的に中断する場合における各構成要素の動作タイミングについて説明するための図である。なお、図７は、指示入力部２０９により番組視聴の中断が指示される場合について示し、図８は、電波状態検出部２０８による検出結果の内容に応じて番組視聴の中断が指示される場合について示している。
【００５２】
図７に示すように、時点ｔ１において、放送局１０１から配信される放送番組の受信が放送受信部２０２により開始されると、これに応じて時点ｔ２において、映像再生部２０３により当該放送番組の映像の再生が開始される。これにより、移動体端末１０２において、放送局１０１から配信された放送番組が視聴可能とされる。
【００５３】
このように移動体端末１０２で放送番組の視聴をしている間に、ユーザにより放送番組の視聴の中断が所望され、時点ｔ３において、指示入力部２０９から記録ボタンが押下されると、これに応じて時点ｔ４において、ＴＳ／ＣＨ情報登録部２０５により、当該時刻情報が開始ＴＳ情報として登録されると共に、その時に視聴されていたチャンネルがＣＨ情報として登録される。
【００５４】
そして、ユーザにおいて、放送番組の視聴を一時的に中断する事由が解消され、時点ｔ５において、指示入力部２０９から再び記録ボタンが押下されると、これに応じて時点ｔ６において、ＴＳ／ＣＨ情報登録部２０５により、当該時刻情報が終了ＴＳ情報として登録される。この終了ＴＳ情報の登録まで完了すると、時点ｔ７において、データ通信部２０７によりサーバ１０３に対してＴＳ／ＣＨ情報が送出される。
【００５５】
その後、時点ｔ８において、放送局１０１から放送番組の受信が終了すると、これに応じて時点ｔ９において、当該放送番組の映像の再生が終了する。このように、放送番組の視聴中におけるユーザの指示入力に応じてＴＳ／ＣＨ情報が登録されると共に、当該ＴＳ／ＣＨ情報がサーバ１０３に対して送出されることとなる。なお、図７に示す例においては、時点ｔ３に対応する時点ｔ３´から映像再生部２０３による放送番組の映像の再生が中断され、時点ｔ５に対応する時点ｔ５´で放送番組の映像の再生が再開される場合について示している。
【００５６】
一方、電波状態検出部２０８による検出結果の内容に応じて番組視聴の中断が指示される場合には、図８に示すように、時点ｔ３において、電波状態検出部２０８により圏外が検出された場合にこれに応じて時点ｔ４において、ＴＳ／ＣＨ情報登録部２０５により、当該時刻情報が開始ＴＳ情報として登録されると共に、その時に視聴されていたチャンネルがＣＨ情報として登録される点、並びに、時点ｔ５において電波状態検出部２０８により圏内への復帰が検出された場合にこれに応じて時点ｔ６において、ＴＳ／ＣＨ情報登録部２０５により、当該時刻情報が終了ＴＳ情報として登録される点で図７に示す場合と相違する。この場合には、放送番組の視聴中における放送電波の電波状態に応じてＴＳ／ＣＨ情報が登録されると共に、当該ＴＳ／ＣＨ情報がサーバ１０３に対して送出されることとなる。
【００５７】
図７又は図８に示すように、データ通信部２０７によりＴＳ／ＣＨ情報がサーバ１０３に送出されると、サーバ１０６の記憶部３０４には、例えば、図５に示すようにＴＳ／ＣＨ情報が登録されることとなる。その後、図４のＳＴ４０９〜ＳＴ４１８に示す要領で番組視聴が中断された個所の映像が移動体端末１０２で再生される。
【００５８】
このように実施の形態１に係る放送再生システムによれば、放送番組の映像の再生が中断されるとＴＳ／ＣＨ情報がサーバ１０３に送信され、サーバ１０３においてＴＳ／ＣＨ情報に基づいてＴＳリストが生成され、移動体端末１０２に送信される。このＴＳリストからユーザが再生を希望する放送番組の選択を受け付けると、当該放送番組の再生がサーバ１０３に要求され、当該再生要求に応じてサーバ１０３から送信される放送番組の映像が移動体端末１０２で再生される。このため、ＴＳリストからユーザにより放送番組が選択されたタイミングに応じて当該放送番組の映像が送信されるので、現在視聴中の放送番組の視聴を阻害する事態を防止することなく、ユーザの所望の放送番組の映像を視聴させること可能となる。また、ＴＳリストから選択された放送番組の映像のみがサーバ１０３から送信されるので、サーバ１０３の負荷を軽減しつつ、ユーザの所望の放送番組の映像を送信することが可能となる。さらに、番組視聴の中断事由は、放送電波の状態に起因する事由に限定されないので、任意の中断事由に応じて視聴が中断された放送番組の映像のうち、ユーザが望む放送番組の映像を視聴させることが可能となる。
【００５９】
特に、実施の形態１に係る放送再生システムにおいては、移動体端末１０２が放送番組の再生の中断指示を受け付ける指示入力部２０９を備え、当該指示入力部２０９を介して放送番組の視聴の中断指示を受け付けると、ＴＳ／ＣＨ情報をサーバ１０３に送信する。これにより、ユーザからの放送番組の視聴の中断指示に応じてＴＳ／ＣＨ情報がサーバ１０３に送信され、当該ＴＳ／ＣＨ情報に基づいてＴＳリストが生成されるので、移動体端末１０２のユーザの所望のタイミングで番組視聴を中断すると共に、当該中断した放送番組の映像を後から視聴することが可能となる。
【００６０】
また、実施の形態１に係る放送再生システムにおいては、移動体端末１０２が放送局からの放送電波の状態を検出する電波状態検出部２０８を備え、当該電波状態検出部２０８による放送電波の状態の検出結果に応じてＴＳ／ＣＨ情報をサーバ１０３に送信する。これにより、放送電波の状態（例えば、圏外又は圏内）の検出結果に応じてＴＳ／ＣＨ情報がサーバ１０３に送信され、当該ＴＳ／ＣＨ情報に基づいてＴＳリストが生成されるので、放送電波の状態に応じて番組視聴が中断された場合であっても、当該中断した放送番組の映像を後から視聴することが可能となる。
【００６１】
なお、実施の形態１に係る放送再生システムにおいては、ＴＳ情報は、放送番組の視聴の中断を開始する開始ＴＳ情報と、放送番組の視聴の中断を終了する中終了ＴＳ情報とから構成されている。このようにＴＳ情報を、開始ＴＳ情報及び終了ＴＳ情報で構成することで、開始ＴＳ情報と終了ＴＳ情報とで番組視聴が中断した放送番組が特定されるため、当該放送番組を容易に特定することが可能となる。
【００６２】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００６３】
例えば、実施の形態１に係る放送再生システムにおいて、サーバ１０３から移動体端末１０２に送信されるＴＳリストに、番組視聴の中断事由を表示することは実施の形態として好ましい。例えば、図９に示すように、電波状態検出部２０８による圏外の検出又はユーザによる放送番組の視聴の中断指示の内容を表示するようにしても良い。なお、図９においては、前者を、圏外を示すアンテナのアイコンで表示し、後者を、人物の顔を示すアイコンで表示している。ここでは、アイコンでこれらを表示するが、文字情報等で表示するようにしても良い。
【００６４】
このように変更した場合には、ユーザがＴＳリストから所望の放送番組を選択する場合にその選択動作を補助する情報が提供されるので、ユーザはより簡単に所望の放送番組を選択することが可能となる。
【００６５】
また、実施の形態１に係る放送再生システムにおいては、電波状態検出部２０８の検出結果に応じてＴＳ／ＣＨ情報を登録可能としている。しかし、この場合には、断続的に放送電波の状態が切り替わる場合にＴＳ／ＣＨ情報が多数登録されることとなり、ユーザが後から再生を希望する放送番組の特定が困難になり得る。かかる事態を回避すべく、圏外から圏内への復帰した後、一定時間（例えば、１分）が経過した場合にのみ終了ＴＳ情報を登録するように制御することは実施の形態として好ましい。ここでは、一定時間を１分として終了ＴＳ情報の登録を制御する場合について示すものとする。
【００６６】
図１０は、このように変更した移動体端末１０２において、放送番組の視聴を一時的に中断する場合における各構成要素の動作タイミングについて説明するための図である。なお、図１０において、図５と同様の内容についてはその説明を省略する。
【００６７】
図１０においては、時点ｔ３において、電波状態検出部２０８により圏外が検出された後、時点ｔ１０において、圏内への復帰が検出され、更に時点ｔ１１において、再び圏外が検出された場合について示している。ここで、時点ｔ１１は、時点ｔ１０から４５秒しか経過していないものとする。このため、ＴＳ／ＣＨ情報登録部２０５により、時点ｔ１０に対応する時点において終了ＴＳ情報が登録されることはない。なお、図１０においては、時点ｔ５にて圏内への復帰が検出された後には、圏外への移行が１分以上検出されないため、時点ｔ５に対応する時点ｔ６にて終了ＴＳ情報が登録された場合について示している。
【００６８】
このように変更した場合には、電波状態検出部２０８による検出結果に応じて放送番組の視聴を中断する際、断続的に放送電波の状態が切り替わる場合においても、ＴＳ／ＣＨ情報が多数登録される事態を回避されるので、ユーザが後から再生を希望する放送番組の特定が困難になる事態を防止することが可能となる。
【００６９】
さらに、実施の形態１に係る放送再生システムにおいては、電波状態検出部２０８の検出結果に応じてＴＳ／ＣＨ情報を登録可能としている。しかし、圏外への移行に応じて開始ＴＳ情報及びＣＨ情報が登録された後、ユーザによりチャンネルが変更された場合には、ユーザが後から再生を希望する放送番組が所望の放送番組と相違する事態が発生し得る。
【００７０】
このため、実施の形態１に係る移動体端末１０２においては、圏外に移行した後、チャンネルが変更された場合には、変更前及び変更後のチャンネルに対応するＴＳ／ＣＨ情報を登録し、当該ＴＳ／ＣＨ情報をサーバ１０３に送信する。図６において、最下方の２行のＴＳ／ＣＨ情報は、このように登録されたＴＳ／ＣＨ情報に相当する。すなわち、変更前のＣＨ情報として「１ＣＨ」が指定されたＴＳ／ＣＨ情報（下から２行目）が登録されている一方、変更後のＣＨ情報として「８ＣＨ」が指定されたＴＳ／ＣＨ情報（下から１行目）が登録されている。
【００７１】
このように変更した場合には、圏外への移行に応じて開始ＴＳ情報及びＣＨ情報が登録された後、ユーザによりチャンネルが変更された場合においても、変更前及び変更後のチャンネルに対応するＴＳ／ＣＨ情報がサーバ１０３において登録されるので、ユーザが後から再生を希望する放送番組が所望の放送番組と相違するという事態を防止することが可能となる。
【００７２】
（実施の形態２）
実施の形態１に係る放送再生システムにおいては、電波状態検出部２０８による圏外状態の検出、或いは、指示入力部２０９を用いたユーザによる放送番組の視聴の中断指示に応じてＴＳ／ＣＨ情報の登録を判断しているが、ＴＳ／ＣＨ情報の登録の判断については、これに限定されず、ユーザの利便性を確保することを前提として適宜変更が可能である。
【００７３】
本発明の実施の形態２に係る放送再生システムにおいては、図１１に示すように、移動体端末１０２が、移動体端末１０２の開閉状態を監視する開閉状態検出部２１０を備える点で実施の形態１に係る放送再生システムと相違する。開閉状態検出部２１０は、移動体端末１０２が開けられている状態（オープン状態）であるか、閉じられている状態（クローズ状態）であるかを検出する。このような開閉状態検出部２１０を備え、実施の形態２に係る放送再生システムにおいては、移動体端末１０２の開閉状態に応じてＴＳ／ＣＨ情報の登録を判断する。
【００７４】
なお、図１１においては、実施の形態１に係る移動体端末１０２の構成要素に加えて、開閉状態検出部２１０を備える場合について示しているが、これに限定されるものではなく、電波状態検出部２０８や指示入力部２０９のいずれか、或いは双方と置換するようにしても良い。
【００７５】
実施の形態２に係る放送再生システムにおいても、放送局１０１から受信した放送番組の視聴を一時的に中断し、当該中断した個所を後から移動体端末１０２で再生する場合の動作は実施の形態１に係る放送再生システムと同様であるため、その詳細な説明を省略する（図７参照）。実施の形態２に係る放送再生システムにおいては、移動体端末１０２におけるＴＳ／ＣＨ情報の登録事由が開閉状態検出部２１０の検出結果に基づく点で実施の形態１に係る放送再生システムと相違する。
【００７６】
図１２は、実施の形態２における移動体端末１０２において、放送番組の視聴を一時的に中断する場合における各構成要素の動作タイミングについて説明するための図である。特に、図１２は、開閉状態検出部２１０による検出結果に応じてＴＳ／ＣＨ情報を登録する場合について示している。なお、図１２において、図７と同様の内容についてはその説明を省略する。
【００７７】
開閉状態検出部２１０による検出結果の内容に応じてＴＳ／ＣＨ情報を登録する場合においては、図１２に示すように、時点ｔ３において、開閉状態検出部２１０がクローズ状態を検出した場合にこれに応じて時点ｔ４において、当該時刻情報を開始ＴＳ情報として登録すると共に、その時に視聴されていたチャンネルをＣＨ情報として登録する点、並びに、時点ｔ５において、開閉状態検出部２１０がオープン状態を検出した場合にこれに応じて時点ｔ６において、当該時刻情報を終了ＴＳ情報として登録する点で図７に示す場合と相違する。この場合には、放送番組の視聴中における移動体端末１０２の開閉状態に応じてＴＳ／ＣＨ情報が登録されると共に、当該ＴＳ／ＣＨ情報がサーバ１０３に対して送出されることとなる。
【００７８】
このように実施の形態２に係る放送再生システムによれば、移動体端末１０２の開閉状態に応じてＴＳ／ＣＨ情報が登録されると共に、当該ＴＳ／ＣＨ情報がサーバ１０３に対して送出されるので、移動体端末１０２の開閉状態に応じて番組視聴の中断を判断し、これに応じたＴＳリストを生成することが可能となる。
【００７９】
（実施の形態３）
本発明の実施の形態３に係る放送再生システムにおいては、図１３に示すように、移動体端末１０２が、ＴＳ情報の状態を監視するタイムスタンプ監視部（以下、「ＴＳ監視部」という）２１１を備える点で実施の形態２に係る放送再生システムと相違する。ＴＳ監視部２１１は、ＴＳ／ＣＨ情報の登録発生事由により開始ＴＳ情報が登録された後、終了ＴＳ情報が所定時間以内に登録されたか否かを監視する。そして、所定時間以内に終了ＴＳ情報が登録されていない場合には、ＴＳ／ＣＨ情報登録部２０５にその旨を通知し、終了ＴＳ情報の登録を指示する。このようなＴＳ監視部２１１を備え、実施の形態３に係る放送再生システムにおいては、終了ＴＳ情報が所定時間以内に登録されたか否かに応じて終了ＴＳ情報の登録を判断する。
【００８０】
なお、図１３においては、実施の形態２に係る移動体端末１０２の構成要素に加えて、ＴＳ監視部２１１を備える場合について示しているが、これに限定されるものではなく、電波状態検出部２０８、指示入力部２０９又は開閉状態検出部２１０のいずれか、或いはこれらの組合せと組み合わせた構成としても良い。
【００８１】
実施の形態３に係る放送再生システムにおいても、放送局１０１から受信した放送番組の視聴を一時的に中断し、当該中断した個所を後から移動体端末１０２で再生する場合の動作は実施の形態１又は実施の形態２に係る放送再生システムと同様であるため、その詳細な説明を省略する（図７参照）。実施の形態３に係る放送再生システムにおいては、移動体端末１０２におけるＴＳ／ＣＨ情報のうち、終了ＴＳ情報が一定時間以内に登録されない場合に自動的に当該終了ＴＳ情報の登録を行う点で実施の形態１又は実施の形態２に係る放送再生システムと相違する。
【００８２】
図１４は、実施の形態３における移動体端末１０２において、放送番組の視聴を一時的に中断する場合における各構成要素の動作タイミングについて説明するための図である。特に、図１４は、ＴＳ監視部２１１による検出結果の内容に応じて終了ＴＳ情報を登録する場合について示している。なお、図１３において、図７と同様の内容については説明を省略する。
【００８３】
ＴＳ監視部２１１による検出結果の内容に応じて終了ＴＳ情報を登録する場合においては、図１４に示すように、時点ｔ４において、ＴＳ／ＣＨ情報登録部２０５により、当該時刻情報が開始ＴＳ情報として登録されると共に、その時に視聴されていたチャンネルがＣＨ情報として登録された後、ＴＳ監視部２１１が、一定時間（例えば、５分）以内に終了ＴＳ情報が登録されるか判定する。ここでは、一定時間以内に終了ＴＳ情報が登録されていないものとする。この場合、時点ｔ３から一定時間経過した時点ｔ５において、ＴＳ監視部２１１がその旨をＴＳ／ＣＨ登録部２０５に通知し、これに応じて時点ｔ６において、ＴＳ／ＣＨ情報登録部２０５により、当該時刻情報が終了ＴＳ情報として登録される。この場合には、開始ＴＳ情報が登録された後、一定時間以内に終了ＴＳ情報が登録されない場合に終了ＴＳ情報が自動的に登録されると共に、当該ＴＳ／ＣＨ情報がサーバ１０３に対して送出されることとなる。
【００８４】
このように実施の形態３に係る放送再生システムによれば、開始ＴＳ情報が登録された後、一定時間以内に終了ＴＳ情報が登録されない場合に終了ＴＳ情報が自動的に登録されると共に、当該ＴＳ／ＣＨ情報がサーバ１０３に対して送出されるので、例えば、ユーザにより番組視聴の中断が指示された後、その中断を解除し忘れた場合においても、番組視聴の中断が継続する事態を防止することが可能となる。
【００８５】
なお、実施の形態３に係る放送再生システムにおいては、図１４に示すように、開始ＴＳ情報及びＣＨ情報の登録を、ユーザからの放送番組の視聴の中断指示に応じて登録する場合について示しているが、これはＴＳ／ＣＨ情報の登録事由の一例を示したものであり、電波状態検出部２０８や開閉状態検出部２１１による検出結果に応じてＴＳ／ＣＨ情報を登録する場合にも適用することが可能である。
【図面の簡単な説明】
【００８６】
【図１】本発明の実施の形態１に係る放送再生システムが適用されるネットワークの構成を説明するための図である。
【図２】実施の形態１に係る移動体端末の概略構成を示す図である。
【図３】実施の形態１に係るサーバの概略構成を示す図である。
【図４】実施の形態１に係る放送再生システムにおいて、放送番組の視聴を中断し、当該中断した個所を後から移動体端末で再生する場合の動作について説明するためのシーケンス図である。
【図５】実施の形態１にサーバの記憶部内に登録されたＴＳ／ＣＨ情報の一例について示す図である。
【図６】実施の形態１に係る移動体端末の表示部に表示されるＴＳリストの一例について示す図である。
【図７】実施の形態１に係る移動体端末において、放送番組の視聴を中断する場合における各構成要素の動作タイミングについて説明するための図である。
【図８】実施の形態１に係る移動体端末において、放送番組の視聴を中断する場合における各構成要素の動作タイミングについて説明するための図である。
【図９】実施の形態１に係る移動体端末の表示部に表示されるＴＳリストを変形した一例について示す図である。
【図１０】実施の形態１に係る移動体端末において、放送番組の視聴を中断する場合における各構成要素の動作タイミングについて説明するための図である。
【図１１】本発明の実施の形態２に係る移動体端末の概略構成を示す図である。
【図１２】実施の形態２に係る移動体端末において、放送番組の視聴を中断する場合における各構成要素の動作タイミングについて説明するための図である。
【図１３】本発明の実施の形態３に係る移動体端末の概略構成を示す図である。
【図１４】実施の形態３に係る移動体端末において、放送番組の視聴を中断する場合における各構成要素の動作タイミングについて説明するための図である。
【符号の説明】
【００８７】
１０１  放送局
１０２  移動体端末装置（移動体端末）
１０３  サーバ装置（サーバ）
１０４  移動通信網
１０５  インターネット
１０６  基地局
１０７  移動通信センター
１０８  モニタ
１０９  番組データベース（ＤＢ）
２０１  制御部
２０２  放送受信部
２０３  映像再生部
２０４  表示部
２０５  ＴＳ／ＣＨ情報登録部
２０６  記憶部
２０７  データ通信部
２０８  電波状態検出部
２０９  指示入力部
２１０  開閉状態検出部
２１１  ＴＳ監視部
３０１  制御部
３０２  放送受信部
３０３  データ通信部
３０４  記憶部
３０５  ＴＳリスト生成部
３０６  映像登録部
３０７  映像再生部
【図１】
2007267325.tif 000003
【図２】
2007267325.tif 000004
【図３】
2007267325.tif 000005
【図４】
2007267325.tif 000006
【図５】
2007267325.tif 000007
【図６】
2007267325.tif 000008
【図７】
2007267325.tif 000009
【図８】
2007267325.tif 000010
【図９】
2007267325.tif 000011
【図１０】
2007267325.tif 000012
【図１１】
2007267325.tif 000013
【図１２】
2007267325.tif 000014
【図１３】
2007267325.tif 000015
【図１４】
2007267325.tif 000016